(57)【特許請求の範囲】
【請求項１】
手首若しくは腕に装着されるバンドと、
前記バンドの内側若しくは側方に設けられる脈拍センサーと、
前記脈拍センサーの出力データから脈拍の異常を検出する脈拍異常検出部と、
前記バンドに外装され、前記バンドに沿って摺動する第１の摺動体と、
前記第１の摺動体に摺動可能に設けられ、前記バンドの軸方向に摺動する第２の摺動体とを備え、
前記脈拍センサーは、前記第２の摺動体に設けられ、前記バンドの周方向と前記バンドの軸方向とに移動可能に構成されて位置調整ができるようになっていることを特徴とする脈拍異常検出装置。
【請求項２】
脈拍の標準波形と、脈拍の許容範囲を規定する設定値とを記憶する記憶部と、
前記脈拍センサーの出力データである出力波形と前記脈拍の標準波形とを対比し、前記対比結果に前記設定値による許容範囲以外のものがある場合に異常と認識する脈拍異常認識部とを有し、
前記記憶部と前記脈拍異常認識部により前記脈拍異常検出部を構成することを特徴とする請求項１記載の脈拍異常検出装置。
【請求項３】
前記第２の摺動体を前記脈拍センサーを前記バンドの内方へ付勢する弾性を有するものとする、若しくは前記第２の摺動体と前記脈拍センサーとの間に前記脈拍センサーを前記バンドの内方へ付勢する弾性部材を設けることを特徴とする請求項１又は２記載の脈拍異常検出装置。
【請求項４】
前記弾性部材を感圧ダイアフラムとすることを特徴とする請求項３記載の脈拍異常検出装置。
【請求項５】
前記第２の摺動体の先端に手首周り若しくは腕周りの少なくとも一部に略沿う形状の定置部材、又は前記形状に変形可能な定置部材を設けることを特徴とする請求項１〜４の何れかに記載の脈拍異常検出装置。
【請求項６】
前記バンドに本体部を設け、前記本体部に前記脈拍異常検出部を設けることを特徴とする請求項１〜５の何れかに記載の脈拍異常検出装置。
【請求項７】
前記バンドに送信部を設け、
受信端末に前記脈拍異常検出部を設け、
前記脈拍センサーの出力データである出力波形を前記送信部により前記受信端末に送信することを特徴とする請求項１〜５の何れかに記載の脈拍異常検出装置。
【請求項８】
前記バンドには、前記脈拍センサーの他に、少なくとも、温度センサー及び気圧センサーのいずれかが設けられていることを特徴とする請求項１〜７の何れかに記載の脈拍異常検出装置。
【発明の詳細な説明】
【技術分野】
【０００１】
本発明は、利用者の脈拍の異常を検出する脈拍異常検出装置に関する。
【背景技術】
【０００２】
利用者の脈拍の異常を検出する脈拍異常検出装置として特許文献１のメディカルウオッチがある。前記メディカルウオッチは、メディカルウオッチを装着した手首の脈動検出可能な位置に密接する、腕時計バンド内側の所定位置に脈拍センサーを固定し、体温検出の温度センサーを腕時計バンド内側の所定位置に固定し、これらのセンサー出力を制御部に供給する。前記制御部は、脈拍センサーの出力波形を予め記憶している標準波形と比較し、設定値の許容範囲を超える時に表示部の点滅表示や警報音出力を行うと共に、温度センサーの出力データを設定値と比較し、設定値の許容範囲を超える時に表示部の点滅表示や警報音出力を行う。更に、送受信部により、警報出力の信号を親機に送信して親機で警報音を発したり、親機より身元データ或いは通院データを受信して表示部で表示可能に記憶する構成である。
【０００３】
【特許文献１】特開平５−５２９７５号公報
【発明の開示】
【発明が解決しようとする課題】
【０００４】
ところで、特許文献１のメディカルウオッチでは、脈拍センサーを手首の脈動検出可能な位置に密接するようにバンド内側に固定するとしているのみで、その具体的な固定位置は不明であるが、実用レベルで脈拍を検出するためには脈拍センサーを設定する位置は極めて重要である。即ち、手首には撓骨動脈と尺骨動脈という２本の大きな動脈があり、単に手首の脈動を検出可能な位置に脈拍センサーを設置する程度では撓骨動脈と尺骨動脈の双方の脈拍を検出してしまい、検出した脈拍に周波数変調や位相変調が生じて正確な脈拍の検出が困難となる。更に、脈拍を検出する最適な位置には個人差があり、個人差に応じた最適な位置に脈拍センサーを設けるようにすることも求められる。
【０００５】
本発明は上記課題に鑑み提案するものであって、個人差に適応しつつ、利用者の脈拍を高精度で正確に検出することができる脈拍異常検出装置を提供することを目的とする。
【課題を解決するための手段】
【０００６】
本発明の脈拍異常検出装置は、手首若しくは腕に装着されるバンドと、前記バンドの内側若しくは側方に設けられる脈拍センサーと、前記脈拍センサーの出力データから脈拍の異常を検出する脈拍異常検出部と、前記バンドに外装され、前記バンドに沿って摺動する第１の摺動体と、前記第１の摺動体に摺動可能に設けられ、前記バンドの軸方向に摺動する第２の摺動体とを備え、前記脈拍センサーは、前記第２の摺動体に設けられ、前記バンドの周方向と前記バンドの軸方向とに移動可能に構成されて位置調整ができるようになっていることを特徴とする。
【０００７】
また、本発明の脈拍異常検出装置は、脈拍の標準波形と、脈拍の許容範囲を規定する設定値とを記憶する記憶部と、前記脈拍センサーの出力データである出力波形と前記脈拍の標準波形とを対比し、前記対比結果に前記設定値による許容範囲以外のものがある場合に異常と認識する脈拍異常認識部とを有し、前記記憶部と前記脈拍異常認識部により前記脈拍異常検出部を構成することを特徴とする。
【００１０】
また、本発明の脈拍異常検出装置は、前記第２の摺動体を前記脈拍センサーを前記バンドの内方へ付勢する弾性を有するものとする、若しくは前記第２の摺動体と前記脈拍センサーとの間に前記脈拍センサーを前記バンドの内方へ付勢する弾性部材を設けることを特徴とする。
【００１１】
また、本発明の脈拍異常検出装置は、前記弾性部材を感圧ダイアフラムとすることを特徴とする。
【００１２】
また、本発明の脈拍異常検出装置は、前記第２の摺動体の先端に手首周り若しくは腕周りの少なくとも一部に略沿う形状の定置部材、又は前記形状に変形可能な定置部材を設けることを特徴とする。
【００１３】
また、本発明の脈拍異常検出装置は、前記バンドに本体部を設け、前記本体部に前記脈拍異常検出部を設けることを特徴とする。
【００１４】
また、本発明の脈拍異常検出装置は、前記バンドに送信部を設け、受信端末に前記脈拍異常検出部を設け、前記脈拍センサーの出力データである出力波形を前記送信部により前記受信端末に送信することを特徴とする。また、前記バンドには、前記脈拍センサーの他に、少なくとも、温度センサー及び気圧センサーのいずれかが設けられていてもよい。
【発明の効果】
【００１５】
本発明の脈拍異常検出装置は、脈拍センサーをバンドの内側若しくは側方に位置調整可能に設けることにより、利用者の各々が、検出した脈拍に周波数変調や移動変調が生じない位置、即ち撓骨動脈や尺骨動脈等の単動脈に対応する位置に脈拍センサーを正確に配置し、単動脈波を正確に検出することが可能となる。従って、個人差に適応しつつ、利用者の脈拍或いは脈波形を正確に高精度で検出することができ、脈拍或いは脈波形を基に諸パラメータを正確に計算することもできる。
【００１６】
また、脈拍の標準波形と、脈拍の許容範囲を規定する設定値とを記憶し、前記脈拍センサーの出力データである出力波形と前記脈拍の標準波形とを対比して、前記対比結果に前記設定値による許容範囲以外のものがある場合に異常と認識することにより、簡単且つ低コストな構成で、正確に脈拍の異常を検出することができる。
【００１７】
また、脈拍センサーをバンドの周方向と軸方向とに移動可能に設けることにより、バンドの手首周りや腕周りの方向を利用して、単動脈に対応する位置に容易に位置調整することが可能となる。
【００１８】
また、第１の摺動体をバンドに沿って摺動するようにバンドに外装し、第２の摺動体をバンドの軸方向に摺動可能に第１の摺動体に設け、第２の摺動体に脈拍センサーを設けることにより、バンド周方向への移動動作にバンドを有効利用することができると共に、バンド周方向と軸方向への微調整を摺動による移動で実現することができる。また、簡単な構造で低コストに脈拍センサーの移動機構を構成することができる。
【００１９】
また、第２の摺動体を脈拍センサーをバンドの内方へ付勢する弾性を有するものとする、若しくは第２の摺動体と脈拍センサーとの間に脈拍センサーをバンドの内方へ付勢する弾性部材を設けることにより、手首若しくは腕の脈拍検出に適した位置に調整した脈拍センサーを手首若しくは腕に確実に当接することができ、利用者の脈拍をより安定して検出することができる。
【００２０】
また、弾性部材を感圧ダイアフラムとすることにより、手首若しくは腕の脈拍検出に適した位置に脈拍センサーをより確実に当接することができると共に、脈波形を歪ませるような脈拍センサーによる血管の過剰な圧迫を防ぎ、脈拍の一層正確な検出を確保することができる。
【００２１】
また、第２の摺動体の先端に手首周り若しくは腕周りの少なくとも一部に略沿う形状の定置部材、又は前記形状に変形可能な定置部材を設けることにより、第２の摺動体及び脈拍センサーを至適位置に定置させて位置ずれを防止し、脈拍のより一層安定した検出を確保することができる。
【００２２】
また、バンドの本体部に脈拍異常検出部を設けることにより、バンドの本体部で脈拍の異常を認識し、例えばバンドを装着している利用者がその場で脈拍の異常を認知することができる。
【００２３】
また、バンドに送信部を設け、受信端末に脈拍異常検出部を設け、脈拍センサーの出力波形を送信部により受信端末に送信することにより、例えば携帯電話、車載端末、パーソナルコンピュータなど、脈拍センサーを受信する受信端末により、利用者自身或いは家族・医者など他者が脈拍の異常を受信端末のより大きい表示画面等で認知することができる。
【発明を実施するための最良の形態】
【００２４】
以下では、本発明の脈拍異常検出装置の実施形態について図面に基づき説明する。
【００２５】
〔第１実施形態の脈拍異常検出装置〕
第１実施形態の脈拍異常検出装置１０は、図１に示すように、着脱自在な連結部２１の連結により利用者の手首に装着される略環形で帯状のバンド２０と、バンド２０に取り付けて設けられ、脈拍異常検出部が内蔵される本体部３０と、バンド２０に沿って摺動可能に設けられるセンサー機構４０と、本体部３０とセンサー機構４０の脈拍センサー４３とを電気的に接続する接続線５０とを備える。
【００２６】
センサー機構４０は、図２及び図３に示すように、バンド２０に外装され、バンド２０に沿って摺動する第１の摺動体４１と、第１の摺動体４１に摺動可能に設けられ、バンド２０の軸方向に摺動する第２の摺動体４２と、第２の摺動体４２に設けられる脈拍センサー４３とを有する。
【００２７】
第１の摺動体４１は、正面視概略Ｃ字形であり、バンド２０の内面に沿って設けられる内壁４１１と、内壁４１１の両側で外側に立設する側壁４１２・４１２と、側壁４１２・４１２の外端から内方へ向かって延びる外側片４１３・４１３とを有し、バンド２０を抱え込むようにして摺動可能に設けられている。第１の摺動体４１の内壁４１１には、バンド２０の軸方向に延びる一対のレール部４１４・４１４が形成され、レール部４１４はそれぞれ断面視略Ｌ字形になっている。レール部４１４の一方の端部は開放され、その開放口の近傍内側には内側に突出する披係止部４１５が設けられ、その他方の端部は閉塞されて閉塞部４１６となっている。
【００２８】
第２の摺動体４２は、略矩形の基板４２１と、前記レール部４１４の閉塞部４１６側である基板４２１の端部の両側面に外側に突出形成されている係止片４２２とを有する。基板４２１は第１の摺動体４１の一対のレール部４１４・４１４の中に挿入され、基板４２１の両側端部近傍領域は係止片４２２と共にレール部４１４・４１４内を摺動可能になっている。前記基板４２１の摺動は、係止片４２２の前端がレール部４１４の披係止部４１５に当接する位置と基板４２１の後端が閉塞部４１６に当接する位置までとの間で可能である。第２の摺動体４２或いは基板４２１は、弾性を有する素材で形成する或いは中央部が内側に凸で湾曲する形状など弾性を有する形状とすると好適であり、弾性を有する第２の摺動体４２とすることにより、脈拍センサー４３をバンド２０の内方へ付勢することができる。
【００２９】
脈拍センサー４３は、前記レール４１４の開放口側に相当する、第２の摺動体４２の基板４２１の端部寄りに配設され、基板４２１の内面側に固着されている。即ち、脈拍センサー４３は、バンド２０の内側領域からバンド２０から側方に突出した領域まで移動可能に設けられていると共に、第１の摺動体４１のバンド２０に沿った移動によりバンド２０の周方向に移動可能に設けられ、第２の摺動体４２の第１の摺動体４１に対する移動によりバンド２０の軸方向に移動可能に設けられている。
【００３０】
脈拍センサー４３は、バンド２０の外周に沿って配置される接続線５０（図示一部省略）を介して本体部３０と電気的に接続されている。尚、本体部３０に、接続線５０を巻き取る巻取ロールの回転機構をスイッチで制御する構成等の伸縮機構を設け、接続線５０を伸縮可能に構成することも可能である。また、脈拍センサー４３には、本例では血管の脈圧を測定する圧力センサーを用いるが、例えば心拍に応じたヘモグロビンの変化による光量変化を計測する光電脈波計、或いは加速度センサー、超音波センサー、光電容積脈波センサー、光変位センサーなど、本発明では必要に応じて適宜の脈拍センサーを用いることが可能である。
【００３１】
本体部３０は、図４に示すように、ＣＰＵやメモリ等で構成される制御処理部６１と、小型ＨＤＤ或いはＥＥＰＲＯＭ等で構成される記憶部６２と、液晶ディスプレイ或いは有機ＥＬディスプレイ等の表示部６３と、記憶部６２に記憶するデータを入力するデータ入力部や本体部３０の操作入力を行う操作入力部等で構成される入力部６４とを備える。記憶部６２は、脈拍異常検出処理の制御プログラムを記憶する制御プログラム記憶部６２１と、脈拍の標準波形を記憶する標準波形記憶部６２２と、検出項目毎の脈拍の許容範囲を規定する設定値記憶部６２３とを有する。尚、制御処理部６１及び記憶部６２は脈拍異常検出部に相当する。
【００３２】
標準波形記憶部６２２に記憶される脈拍の標準波形は、一般的な人の通常状態の標準波形としてもよいが、例えば利用者個人の通常状態の標準波形を記憶するようにしてもよい。利用者個人の標準波形を記憶する場合、例えば脈拍異常検出装置１０を入力部６４の切替入力に応じて設定モードと使用モードに切り替えられるようにし、入力部６４で脈拍異常検出装置１０を設定モードにし、脈拍センサー４３により所定時間の脈拍の波形を測定し、制御処理部６１が前記測定した波形を標準波形として標準波形記憶部６２２に記憶し、その後に使用する際に使用モードに切り替える構成等とする。
【００３３】
制御処理部６１は、脈拍センサー４３から出力波形を取り込み、制御プログラム記憶部６２１の制御プログラムに従い、標準波形記憶部６２２から脈拍の標準波形を読み出すと共に設定値記憶部６２３から脈拍の許容範囲を規定する設定値を読み出し、脈拍センサー４３の出力波形と脈拍の標準波形とを対比して、前記対比結果に前記設定値による許容範囲以外のものがある場合に異常と認識し、異常と認識した検出項目と異常がある旨のメッセージを表示部６３に表示する。
【００３４】
第１実施形態の脈拍異常検出装置１０を使用する際には、利用者は連結部２１を外してバンド２０を手首の周りに配置し、連結部２１を連結してバンド２０を手首に装着する。第１の摺動体４１をバンド２０に沿って摺動して、第１の摺動体４１を橈骨動脈Ｂに略対応する位置に配置し、更に、第２の摺動体４２を第１の摺動体４１に対して摺動することにより略環形のバンド２０の軸方向に摺動して、第２の摺動体４２に設置されている脈拍センサー４３を橈骨動脈Ｂが手首のより表層近くに在って脈拍取得に適する箇所に配置し、脈拍センサー４３を橈骨動脈Ｂの脈拍取得に適する箇所に当接する。この際に、弾性を有する第２の摺動体４２とする場合には脈拍センサー４３が前記弾性で内方に付勢され、脈拍センサー４３が前記脈拍取得に適する箇所により確実に当接する。
【００３５】
そして、入力部６４の入力により本体部３０を起動し、本体部３０の起動に応じて脈拍センサー４３が起動する。脈拍センサー４３は、利用者の橈骨動脈Ｂの脈圧を連続して測定し、脈圧の経時的変化である脈拍の出力波形を制御処理部６１に出力する。制御処理部６１は、脈拍センサー４３から脈拍の出力波形を連続的に取り込み、標準波形記憶部６２２から読み出した脈拍の標準波形と前記脈拍の出力波形とを対比して、例えば心電図のＲ−Ｒ間隔に相当する脈拍のピーク値間隔等の所定値を取得する。更に、設定値記憶部６２３から読み出した脈拍のピーク値間隔の設定上限値及び設定下限値等の許容範囲を規定する設定値と対比し、前記取得したピーク値間隔が設定上限値を超える場合或いは設定下限値未満である場合など、前記取得した所定値が許容範囲以外のものがある場合に異常と認識し、「不整脈」など異常と認識した検出項目と「危険性有り」など異常がある旨のメッセージを表示部６３に表示する。
【００３６】
第１実施形態の脈拍異常検出装置１０は、脈拍センサー４３を位置調整可能とすることにより、利用者の各々が、検出した脈拍に周波数変調や移動変調が生じない橈骨動脈Ｂに対応する位置に脈拍センサー４３を正確に配置することが可能であり、個人差に適応しつつ、利用者の脈拍を正確に高精度で検出することができる。また、脈拍の標準波形との対比により脈拍の異常を認識することにより、簡単且つ低コストな処理構成で脈拍の異常を検出することができる。また、第１の摺動体４１と第２の摺動体４２の摺動により、バンド周方向への移動動作にバンド２０を有効利用することができると共に、バンド周方向と軸方向への微調整を容易に実現することができる。また、簡単な構造で低コストに脈拍センサー４３の移動機構を構成することができる。また、バンド２０の本体部３０に脈拍異常検出部を設けることにより、バンド２０を装着している利用者がその場で脈拍の異常を認知することができる。また、第２の摺動体４２を弾性を有する構成とする場合には、脈拍センサー４３を手首に確実に当接することができ、利用者の脈拍をより安定して検出することができる。
【００３７】
〔第２実施形態の脈拍異常検出装置〕
第２実施形態の脈拍異常検出装置１０は、図１と同様の構成で、連結部２１の連結により利用者の手首に装着される略環形で帯状のバンド２０と、バンド２０に取り付けて設けられる本体部３０と、バンド２０に沿って摺動可能に設けられるセンサー機構４０と、本体部３０とセンサー機構４０の脈拍センサー４３とを電気的に接続する接続線５０を有するものであるが、脈拍異常検出部は本体部３０に設けられず、脈拍異常検出装置１０或いは本体部３０と無線通信で通信可能に接続される受信端末７０に、脈拍異常検出部に相当する制御処理部７１及び記憶部７２が設けられるものである（図５参照）。尚、第２実施形態で特に言及しない構成は、第１実施形態と同様である。
【００３８】
本体部３０は、図５に示すように、第１実施形態と同様のセンサー機構４０に設けられる脈拍センサー４３と、本体部３０の操作入力や脈拍センサー４３の駆動入力・停止入力を行う入力部６４と、送信動作を制御する送信制御部６５と、無線通信アンテナ等の送信部６６とを有する。脈拍センサー４３は、利用者の橈骨動脈Ｂの脈圧を連続して測定し、脈圧の経時的変化である脈拍の出力波形を送信制御部６５に出力する。送信制御部６５は、脈拍センサー４３の出力波形を送信部６６により受信端末７０に送信する。
【００３９】
受信端末７０は、ＣＰＵやメモリ等で構成される制御処理部７１と、ＨＤＤ等で構成される記憶部７２と、液晶ディスプレイ或いは有機ＥＬディスプレイ等の表示部７３と、記憶部７２に記憶するデータを入力するデータ入力部や受信端末７０の操作入力を行う操作入力部等で構成される入力部７４とを備える。記憶部７２は、脈拍異常検出処理の制御プログラムを記憶する制御プログラム記憶部７２１と、脈拍の標準波形を記憶する標準波形記憶部７２２と、検出項目毎の脈拍の許容範囲を規定する設定値記憶部７２３とを有する。標準波形記憶部７２２に記憶する標準波形、設定モードによる標準波形の設定、使用モードによる使用の構成は、第１実施形態と同様に可能である。
【００４０】
受信端末７０の制御処理部７１は、本体部３０から送信される脈拍の出力波形を受信して取り込み、制御プログラム記憶部７２１の制御プログラムに従い、標準波形記憶部７２２から脈拍の標準波形を読み出すと共に、設定値記憶部７２３から脈拍の許容範囲を規定する設定値を読み出し、受信した出力波形と脈拍の標準波形とを対比して、前記対比結果に前記設定値による許容範囲以外のものがある場合に異常と認識し、異常と認識した検出項目と異常がある旨のメッセージを表示部７３に表示する。前記対比による脈拍の異常認識の処理構成は第１実施形態と同様である。
【００４１】
第２実施形態の脈拍異常検出装置１０は、利用者がその場で脈拍の異常を認知できること以外、第１実施形態と同様の効果を奏することができると共に、バンド２０に送信部６６を設け、受信端末７０に脈拍異常検出部を設け、脈拍センサー４３の出力波形を送信部６６により受信端末７０に送信することにより、例えば携帯電話、車載端末、パーソナルコンピュータなど、脈拍センサー４３を受信する受信端末７０により、利用者自身或いは家族・医者など他者が脈拍の異常を受信端末７０のより大きい表示画面等で認知することができる。
【００４２】
〔実施形態の変形例等〕
本明細書開示の発明には、各発明や各実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれる。
【００４３】
例えば第１、第２実施形態の脈拍異常検出装置１０では、本体部３０を介してバンド２０を略環形としたが、例えばバンド２０自体を環形とし、環形のバンド２０に載置するようにして本体部３０を設けてもよい。また、第１、第２実施形態の脈拍異常検出装置１０は、バンド２０を手首に装着して使用するものとしたが、腕輪型など腕の適宜箇所に装着する構成とすることができる。また、第１、第２実施形態では、脈拍センサー４３を橈骨動脈Ｂに対応する位置に配置して脈拍を測定する構成としたが、手首の尺骨動脈に対応する位置に配置して脈拍を測定する構成としてもよい。また、本体部３０に時計盤を設けるなど時計と兼用できる構成とすると良好である。
【００４４】
また、第１、第２実施形態における脈拍センサー４３は、バンド２０の内側領域から側方領域まで移動可能にして位置調整可能に設ける構成としたが、例えばバンド２０の内側領域内で移動可能に設ける構成、或いはバンド２０の側方領域で移動可能に設ける構成とすることも可能である。また、脈拍センサー４３に近接する位置或いは脈拍センサー４３と一体化して体温を計測する温度センサー等、温度センサー、気圧センサーなどの他のセンサーを設けることも可能である。
【００４５】
また、第１、第２実施形態では、第２の摺動体４２或いは基板４２１が弾性を有する例について述べたが、例えば第２の摺動体４２の基板４２１と脈拍センサーとの間に湾曲した板バネを介在させる等、第２の摺動体４２と脈拍センサー４３との間に別部材の弾性部材を設け、その弾性部材で脈拍センサー４３をバンド２０の内方へ付勢するようにしてもよい。
【００４６】
更に、別の弾性部材として、図６に示す変形例のように、感圧ダイアフラム４４を設けるようにしてもよい。図６の変形例の脈拍異常検出装置では、第２の摺動体４２の基板４２１上に感圧ダイアフラム４４を設け、感圧ダイアフラム４４の中央に略円形の脈拍センサー４３を設ける構成である。感圧ダイアフラム４４は、略円形の薄板状であり、基板４４１の外周部には基板４２１に配置される側に同心円状の溝４４２が複数条（本例では２条）形成され、基板４４１の中央部は周辺よりも薄い薄板になっており、前記中央部の基板４２１と逆に配置される側に脈拍センサー４３が設けられている。
【００４７】
図６の第２の摺動体４４の基板４２１の先端には、手首周りの少なくとも一部に略沿う形状で、本例では略弓形に形成されている定置部材４５が設けられている。定置部材４５の中央部には、基板４２１の先端に対応する形状の穴部である披嵌合部４５１が形成され、基板４２１の先端を披嵌合部４５１に嵌合することにより、定置部材４５が第２の摺動体４４に取り付けられている。
【００４８】
尚、本発明の感圧ダイアフラムは本例の感圧ダイアフラム４４に限定されず、所定の機能を有する範囲で適宜である。また、定置部材４５は腕周りで脈拍を計測する場合には、腕周りの少なくとも一部に略沿う形状とすればよく、又、手首周り若しくは腕周りの少なくとも一部に略沿う形状は、略半円形、略３／４円形など適宜であり、更に、定置部材４５は可撓性のプラスチック、ゴム等の可撓性の素材で形成して、手首等に巻きかけるようにすると好適である。また、定置部材４５は、例えば針金の外周にゴムを被覆したものなど、折り曲げて略楕円形など、手首周り若しくは腕周りの少なくとも一部に略沿う所定形状に変形可能な構成としてもよい。
【００４９】
また、第２実施形態では、送信制御部６５、送信部６６を本体部３０に設ける構成としたが、送信制御部６５、送信部６６はバンド２０に直接的若しくは間接的に一体とされている構成であれば適宜であり、例えばセンサー機構４０に送信制御部６５、送信部６６を設ける構成、或いは脈拍センサー４３に送信制御部６５、送信部６６を設ける構成とすることが可能である。
【００５０】
また、第１実施形態では、脈拍の出力波形と標準波形との対比で取得する所定値として心電図のＲ−Ｒ間隔に相当する脈拍のピーク値間隔、許容範囲を規定する設定値として脈拍のピーク値間隔の設定上限値、設定下限値、検出項目として不整脈とする例について説明したが、波形対比で取得する所定値、設定値、検出項目は必要に応じて適宜設定することが可能であり、例えば所定値として所定時間の脈拍数、設定値として所定時間の脈拍数の設定下限値、検出項目として「居眠り」とすることが可能である。その他に、例えば所定値を時系列脈波値、設定値を脈波の自己相関関数或いはＡＲＭＡ（自己回帰移動平均モデル）と時系列脈波値と自己相関関数或いはＡＲＭＡとの整合度の許容値等、検出項目として脈波揺らぎ、圧揺らぎ、心拍揺らぎなど自律神経応答の状態を検出することも可能である。
【産業上の利用可能性】
【００５１】
本発明の脈拍異常検出装置は、例えば利用者の健康管理や車の運転に於ける居眠り防止等に利用することができる。
【図面の簡単な説明】
【００５２】
【図１】第１実施形態の脈拍異常検出装置の正面図。
【図２】第１実施形態の脈拍異常検出装置のセンサー機構周辺を示す部分斜視図。
【図３】第１実施形態の脈拍異常検出装置のセンサー機構を示す底面図。
【図４】第１実施形態の脈拍異常検出装置のハードウェア構成を示すブロック図。
【図５】第２実施形態の脈拍異常検出装置の全体構成を示すブロック図。
【図６】（ａ）は変形例の脈拍異常検出装置の脈拍センサー周辺を示す底面図、（ｂ）は同図（ａ）の脈拍センサーの周辺を示す一部縦断側面図、（ｃ）は同図（ａ）の脈拍センサーの周辺を示す正面図。
【符号の説明】
【００５３】
１０…脈拍異常検出装置  ２０…バンド  ２１…連結部  ３０…本体部  ４０…センサー機構  ４１…第１の摺動体  ４１１…内壁  ４１２…側壁  ４１３…外側片  ４１４…レール部  ４１５…披係止部  ４１６…閉塞部  ４２…第２の摺動体  ４２１…基板  ４２２…係止片  ４３…脈拍センサー  ４４…感圧ダイアフラム  ４４１…基板  ４４２…溝  ４５…定置部材  ４５１…披嵌合部  ５０…接続線  ６１、７１…制御処理部  ６２、７２…記憶部  ６２１、７２１…制御プログラム記憶部  ６２２、７２２…標準波形記憶部  ６２３、７２３…設定値記憶部  ６３、７３…表示部  ６４、７４…入力部  ６５…送信制御部  ６６…送信部  ７０…受信端末  Ｂ…撓骨動脈
【図１】
0004820961.tif 000002
【図２】
0004820961.tif 000003
【図３】
0004820961.tif 000004
【図４】
0004820961.tif 000005
【図５】
0004820961.tif 000006
【図６】
0004820961.tif 000007